(57)【要約】【課題】衣服の布部分と装飾部品等とを分離して有価金属の回収を効率よく行うと共に、燃料としての品位も維持することができる衣服のリサイクル装置及び方法を提供する。【解決手段】衣服Ｗを加熱する誘導加熱装置２と、加熱した衣服を破砕する破砕装置３と、破砕物Ｃを燃料として利用する低比重物Ｌと、金属を含む高比重物Ｈとに選別する第１選別装置４とを備える衣服のリサイクル装置１。第１選別装置により選別された高比重物をさらに金属種毎に選別する第２選別装置５を備えることができる。誘導加熱装置は高周波誘導加熱装置とすることができる。破砕装置にはロールクラッシャー、ジョークラッシャー、ロールプレス装置又は竪型ミルを用いることができる。【選択図】図１
2019089037.tif 000002
【特許請求の範囲】
【請求項１】
衣服を加熱する誘導加熱装置と、
加熱した衣服を破砕する破砕装置と、
破砕物を燃料として利用する低比重物と、金属を含む高比重物とに選別する選別装置とを備えることを特徴とする衣服のリサイクル装置。
【請求項２】
前記選別装置により選別された前記高比重物を、さらに金属種毎に選別する第２選別装置を備えることを特徴とする請求項１に記載の衣服のリサイクル装置。
【請求項３】
前記加熱装置は、高周波誘導加熱装置であることを特徴とする請求項１又は２に記載の衣服のリサイクル装置。
【請求項４】
前記破砕装置は、ロールクラッシャー、ジョークラッシャー、ロールプレス装置又は竪型ミルであることを特徴とする請求項１、２又は３に記載の衣服のリサイクル装置。
【請求項５】
衣服を誘導加熱する誘導加熱工程と、
加熱した衣服を破砕する破砕工程と、
破砕物を燃料として利用する低比重物と、金属を含む高比重物とに選別する選別工程とを備えることを特徴とする衣服のリサイクル方法。
【請求項６】
前記選別工程において選別された前記高比重物を、さらに金属種毎に選別する第２選別工程を備えることを特徴とする請求項５に記載の衣服のリサイクル方法。
【発明の詳細な説明】
【技術分野】
【０００１】
本発明は、サーマルリサイクルによって衣服をリサイクルするための装置及び方法に関する。
【背景技術】
【０００２】
現在、日本では不要となった衣服が年間９４万トン程度排出されており、そのうちの約７５％が焼却や埋め立てにより処分されている。このような衣服の処分量を削減すべく、各種のリサイクルが行われている。例えば、衣服は工場等で用いられるウエスとして再利用されたり、古着として国内で再利用したり、海外に輸出されている。
【０００３】
しかし、近年、工場の海外移転によりウエスの国内需要が減少すると共に、衣服の価格低下により国内外で古着の需要も減少している。そのため、今後ウエスや古着としての衣服のリサイクルを拡大していくことは難しい。
【０００４】
そこで、衣服のサーマルリサイクルが注目されている。サーマルリサイクルとは、廃棄物を単に焼却処理せず、焼却の際に発生する熱エネルギーを回収して有効活用することであり、様々な廃棄物について推進されている。
【発明の概要】
【発明が解決しようとする課題】
【０００５】
衣服のサーマルリサイクルにあたり、衣服をそのまま破砕して燃料化した場合には、ファスナー等の装飾部品等と布部分とが絡まった状態となっているため、装飾部品等に含まれる銅（Ｃｕ）やアルミニウム（Ａｌ）等の有価金属を回収することが難しい。また、加熱処理後に有価金属を回収すると、燃料としての品位が低下する。
【０００６】
そこで、本発明は、上記従来技術における問題点に鑑みてなされたものであって、衣服の布部分と装飾部品等とを分離して有価金属の回収を効率よく行うと共に、燃料としての品位も維持することができる衣服のリサイクル装置及び方法を提供することを目的とする。
【課題を解決するための手段】
【０００７】
上記目的を達成するため、本発明は、衣服のリサイクル装置であって、衣服を加熱する誘導加熱装置と、加熱した衣服を破砕する破砕装置と、破砕物を燃料として利用する低比重物と、金属を含む高比重物とに選別する選別装置とを備えることを特徴とする。
【０００８】
本発明によれば、誘導加熱装置により衣服を加熱することで、金属製の装飾部品等の温度を上昇させ、これによって、装飾部品等の周辺の布部分のみを脆化させ、破砕装置によって布部分と装飾部品等の分離を容易に行うことが可能となる。また、金属製の装飾部品等のみを加熱し、布部分は加熱しないため、分離した布部分の燃料としての品位も維持することができる。さらに、選別装置により破砕物を低比重物と高比重物とに選別することにより、低比重物を燃料としてサーマルリサイクルすると共に、高比重物中に含まれる有価金属もリサイクルすることが可能となる。
【０００９】
前記衣服のリサイクル装置は、前記選別装置により選別された前記高比重物を、さらに金属種毎に選別する第２選別装置を備えてもよい。第２選別装置を備えることにより、回収された有価金属を金属種毎に選別し、有価金属のリサイクルを容易に行うことが可能となる。
【００１０】
前記衣服のリサイクル装置において、前記加熱装置は高周波誘導加熱装置であってもよい。高周波誘導加熱装置は、被加熱物の単位面積に供給される単位時間当りのエネルギーが大きいため、高速かつ高温の加熱が可能であり、出力を調整することで温度制御を容易に行うことができて好ましい。
【００１１】
前記衣服のリサイクル装置において、前記破砕装置は、ロールクラッシャー、ジョークラッシャー、ロールプレス装置又は竪型ミルであってもよい。これらの破砕装置を用いることにより、特に圧縮力によって金属製の装飾部品等と布部分を効率よく分離することが可能となる。
【００１２】
また、本発明は、衣服のリサイクル方法であって、衣服を誘導加熱する誘導加熱工程と、加熱した衣服を破砕する破砕工程と、破砕物を燃料として利用する低比重物と、金属を含む高比重物とに選別する選別工程とを備えることを特徴とする。
【００１３】
本発明によれば、誘導加熱により衣服を加熱することで、金属製の装飾部品等を選択的に加熱して温度を上昇させ、装飾部品等の周辺の布部分のみを脆化させることで、布部分と装飾部品等の分離を容易に行うことが可能となる。また、金属製の装飾部品等のみを加熱し、布部分は加熱しないため、分離した布部分の燃料としての品位も維持することができる。さらに、選別装置により破砕物を低比重物と高比重物とに選別することにより、低比重物を燃料としてサーマルリサイクルすることが可能になると共に、高比重物中に含まれる有価金属もリサイクルすることが可能となる。
【００１４】
前記衣服のリサイクル方法は、前記選別工程において選別された前記高比重物をさらに金属種毎に選別する第２選別工程を有してもよい。第２選別工程によって回収された有価金属を金属種毎に選別し、有価金属のリサイクルを容易に行うことが可能となる。
【発明の効果】
【００１５】
以上のように、本発明によれば、衣服をリサイクルするにあたり、有価金属の回収を容易に行うと共に、燃料としての品位も維持することができる。
【図面の簡単な説明】
【００１６】
【図１】本発明に係る衣服のリサイクル装置の一実施形態を示す全体構成図である。
【図２】本発明に係る衣服のリサイクル方法を示すフローチャートである。
【発明を実施するための形態】
【００１７】
次に、本発明を実施するための形態について、図面を参照しながら詳細に説明する。
【００１８】
図１は、本発明に係る衣服のリサイクル装置の一実施形態を示し、このリサイクル装置１は、誘導加熱装置２と、破砕装置３と、第１選別装置４と、第２選別装置５等で構成される。リサイクルの対象となる衣服Ｗは、布部分の他、ファスナー等の装飾部品等を構成する金属を含むものである。
【００１９】
誘導加熱装置２は、投入される衣服Ｗの直近に非接触状態で配置した加熱コイルに交流電流を流し、これによって発生した交番磁束を金属製の装飾部品等に通過させて誘導電流を発生させ、装飾部品等が有する抵抗値により消費されるジュール熱によって自己発熱させ、装飾部品等を選択的に加熱して温度を上昇させるために配置される。これによって装飾部品等の周辺の布部分のみを脆化させ、後段の破砕装置３による布部分と装飾部品等の分離を効率よく行う。
【００２０】
この誘導加熱装置２として高周波誘導加熱装置を用いることができる。高周波誘導加熱装置は、被加熱物の単位面積に供給される単位時間当りのエネルギーが大きく、高速かつ高温の加熱が可能であり、出力を調整することで温度制御を容易に行うことができる。高周波誘導加熱装置によって衣服Ｗの金属製の装飾部品等の温度が急上昇する。そこで、衣服Ｗの燃焼を防止するため、酸素を遮断した雰囲気内で加熱することが好ましい。
【００２１】
破砕装置３は、誘導加熱により脆化した布部分に衝撃を付与して布部分と装飾部品等に分離するために設けられる。この破砕装置３として、ロールクラッシャー、ジョークラッシャー、回転数の異なる２つのロールで構成したロールプレス装置、回転するテーブル上にローラを有する竪型ミル等を用いることができ、これらを単独で用いてもよく、あるいは組み合わせて用いてもよい。これらの破砕装置３の特に圧縮力によって布部分と装飾部品等を分離させることが可能となる。尚、ロールプレス装置で回転数の異なる２つのロールを用いるのは、圧縮力にせん断力を加えることによって、布部分と装飾部品等をさらに効率よく分離するためである。上記装置以外にも、布部分と装飾部品等に圧縮力及び補助的にせん断力を加え、両者を分離し易くする破砕装置を用いることができる。また、布が絡まないように、カッターのような刃を用いずに突起状の刃を用いた装置や、回転部が破砕物に対して露出していない破砕装置が好ましい。
【００２２】
第１選別装置４は、破砕装置３により破砕された衣服Ｗの破砕物Ｃを、燃料となる布部分を含む低比重物Ｌと金属を含む高比重物Ｈとに選別する装置である。第１選別装置４として、１０ｍｍ程度の開口を有する連続式のハイバウンドスクリーン等の篩分装置や風力選別装置を用いることができる。これらの選別装置を用いることにより、簡易な構成で効率よく布部分と金属との分別を行うことができる。
【００２３】
第２選別装置５は、第１選別装置４により選別された高比重物Ｈに含まれる金属をさらに金属種毎に選別する装置である。第２選別装置５として、磁力選別装置や渦電流を用いた選別装置、エアーテーブル等を用いることができる。第２選別装置５を備えることにより、回収された有価金属を銅（Ｃｕ）やアルミニウム（Ａｌ）、鉄（Ｆｅ）等の金属種毎に選別し、有価金属のリサイクルを容易に行うことが可能となる。尚、第１選別装置４で回収した高比重物Ｈをそのまま有効利用する場合には、第２選別装置５を省略することができる。また、第１選別装置４の篩分装置や風力選別装置と第２選別装置５の順序は、金属回収が可能であれば特に問わない。また、含まれる金属種や回収したい金属種に応じて選別装置の種類や組合せ、工程の増減を適宜設計すればよい。
【００２４】
次に、上記構成を有するリサイクル装置１を用いた衣服のリサイクル方法について、図１及び図２を参照しながら説明する。
【００２５】
まず、衣服Ｗを誘導加熱装置２に投入して加熱する（ステップＳ１）。この衣服Ｗの加熱は、金属の温度が２５０℃以上８００℃以下の状態で１０分間程度行う。特に加熱されにくいアルミニウム又は銅が２５０℃になるように設定するとよい。また、アルミニウムは、溶融しないように６５０℃以下とする。この加熱は、装飾部品等の周辺の布部分のみが焦げるなどして脆化するまで行えばよい。
【００２６】
次に、加熱した衣服Ｗを破砕装置３に投入して破砕する（ステップＳ２）。これにより、衣服Ｗの布部分と装飾部品等を分離させる。
【００２７】
次に、衣服Ｗの破砕物Ｃを第１選別装置４に投入し、燃料となる布部分を含む低比重物Ｌと金属を含む高比重物Ｈとに選別する（ステップＳ３）。
【００２８】
次に、選別された低比重物Ｌと高比重物Ｈとを別個に回収する（ステップＳ４）。回収された低比重物Ｌは主に燃料となる布部分であって、セメント焼成装置の仮焼炉やセメントキルンの窯尻等に投入してサーマルリサイクルに供される。
【００２９】
一方、高比重物Ｈには、リサイクル対象となり売買可能な金属（有価金属）が含まれている。そこで、回収された高比重物Ｈについて、第２選別装置５により金属種毎に選別する（ステップＳ５）。これにより、選別された銅やアルミニウム等が各々別個に回収され（ステップＳ６）、一連の動作が終了する。
【符号の説明】
【００３０】
１  衣服のリサイクル装置
２  誘導加熱装置
３  破砕装置
４  第１選別装置
５  第２選別装置
Ｃ  破砕物
Ｈ  高比重物
Ｌ  低比重物
Ｗ  衣服
【図１】
2019089037.tif 000003
【図２】
2019089037.tif 000004